(57)【特許請求の範囲】
【請求項１】
木の幹に取り付ける基台部と、
当該基台部上に取り付けられロープを巻き上げ可能なロープウィンチと、
前記基台部上に取り付けられ前記ロープを巻回固定することができるロープ固定部を備え、
前記ロープウィンチの前記基台部上の配置位置は、前記基台部を前記木の幹に取り付けた状態で、前記ロープ固定部に対して左右方向にオフセットして配置され、
前記ロープ固定部は、前記基台部に立設された円柱体として構成され、更にその先端近傍に当該円柱体の半径方向に突出した複数の補助棒を備える
ことを特徴とする特殊伐採用ロープワーク補助具。
【請求項２】
請求項１において、
前記ロープウィンチの巻き上げ時の回転方向が右回りの場合は、当該ロープウィンチの前記基台部上の配置位置は前記ロープ固定部に対して右側にオフセットして配置され、
前記ロープウィンチの巻き上げ時の回転方向が左回りの場合は、当該ロープウィンチの前記基台部上の配置位置は前記ロープ固定部に対して左側にオフセットして配置され、
更に、前記ロープ固定部は前記ロープウィンチよりも上方に配置されている
ことを特徴とする特殊伐採用ロープワーク補助具。
【発明の詳細な説明】
【技術分野】
【０００１】
本発明は、林業の分野に関し、特に詳しくは、枝をそのまま切り落としたり、根元から切り倒す事ができない状況で行われる「特殊伐採」の技術分野に関する。
【背景技術】
【０００２】
「特殊伐採」とは、諸般の事情によって（例えば、伐採対象となる木が建造物に隣接している場合など）、枝払いした枝をそのまま下に落としたり、木の根元を切ってそのまま倒す事ができない場合に、作業員が木に登り、枝や幹などを上から順に、少しずつ安全に切り落とす伐採のことである。
【０００３】
クレーン等を利用して木を吊りながら伐採する手段もあるが、場所によって常にそのような機器が利用できるわけではないし、コストもかかる。そこで、登山などで使われるロープを切り落とす部分に巻き付けた状態で伐採し、そのロープコントロールによって地面まで安全に下ろすという手法が利用される。本発明はこのような場面で利用される特殊伐採用ロープワーク補助具である。
【０００４】
特許文献１に示されているように、木の幹に取り付けたロープホルダー（特許文献１の図７及び図８の符号４８を参照）でロープをコントロールしながら作業することは公知である。
【先行技術文献】
【特許文献】
【０００５】
【特許文献１】特開２００９−１５２１３号公報
【発明の概要】
【発明が解決しようとする課題】
【０００６】
しかしながら、特許文献１のロープホルダーの場合、ロープの引っ張りに対して制動力を与える事しかできない。
【０００７】
そこで本発明は、クレーン車等を持ち込めない場所でも何ら問題なく低コストで利用でき、作業者一人で様々なロープワークを実現することができる特殊伐採用ロープワーク補助具を提供することによって、迅速且つ安全な特殊伐採を実現することを目的としている。
【課題を解決するための手段】
【０００８】
上記課題を解決するべく、本願発明は、木の幹に取り付ける基台部と、当該基台部上に取り付けられロープを巻き上げ可能なロープウィンチと、前記基台部上に取り付けられ前記ロープを巻回固定することができるロープ固定部を備え、前記ロープウィンチの前記基台部上の配置位置は、前記基台部を前記木の幹に取り付けた状態で、前記ロープ固定部に対して左右方向にオフセットして配置され、前記ロープ固定部は、前記基台部に立設された円柱体として構成され、更にその先端近傍に当該円柱体の半径方向に突出した複数の補助棒を備える、ことを特徴とする。
【０００９】
このような構成を採用したことによって、単にロープに対して制動力を与えるだけでなく、補助棒を利用してロープを固定したり、更にウィンチによってロープを巻き上げる事も可能となっている。更に補助棒があることによって、制動力を与えながらのロープコントロールを行う際の作業者の作業可能範囲が広がるため、状況に応じて適切な場所でのロープコントロールが可能となる。また、ロープウィンチとロープ固定部とは、左右方向にオフセットされて配置されているので、上方へと導かれる互いのロープの干渉がなく、同時に２本のロープをコントロールすることも可能となる。
【００１０】
また、前記ロープウィンチの巻き上げ時の回転方向が右回りの場合は、前記ロープウィンチの前記基台部上の配置位置は前記ロープ固定部に対して右側にオフセットして配置され、前記ロープウィンチの巻き上げ時の回転方向が左回りの場合は、前記ロープウィンチの前記基台部上の配置位置は前記ロープ固定部に対して左側にオフセットして配置され、更に、前記ロープ固定部は前記ロープウィンチよりも上方に配置されていることを特徴とする。
【００１１】
このような構成を採用したことによって、ロープウィンチとロープ固定部との左右方向のオフセット量を小さくすることができるので、基台の幅（取付時の左右方向の幅）をコンパクトに構成でき、取り付ける木の幹の径がそれ程太くない場合でも安定的に取り付ける事ができる。更に、負荷方向が一致するので、ロープウィンチとロープ固定部の一方のみに負荷が掛かる状況が発生したとしても、基台部の固定が不安定とならない。
【発明の効果】
【００１２】
本発明を適用することで、クレーン車等を持ち込めない場所でも何ら問題なく低コストで利用でき、作業者一人で様々なロープワークを実現することができる特殊伐採用ロープワーク補助具を提供でき、その結果として迅速且つ安全な特殊伐採を実現することができる。
【図面の簡単な説明】
【００１３】
【図１】本発明に係る特殊伐採用ロープワーク補助具の正面図である。
【図２】本発明に係る特殊伐採用ロープワーク補助具を木の幹に取り付けた状態を示した図である。
【図３】本発明に係る特殊伐採用ロープワーク補助具の第１使用例を示した図である。
【図４】本発明に係る特殊伐採用ロープワーク補助具の第２使用例を示した図である。
【発明を実施するための形態】
【００１４】
以下、添付図面を参照しつつ、本発明の実施形態の一例である特殊伐採用ロープワーク補助具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈特殊伐採用ロープワーク補助具の構成〉
図１及び図２に示しているように、本発明に係る特殊伐採用補助具１００は、正面視略矩形の基台部１０２と、当該基台部１０２上に取り付けられた手動のロープウィンチ１１０及びロープ固定部１２０を主たる構成要素として備える。
【００１６】
基台部１０２は、金属性で頑丈に作られており、下方側面に第１把持部１０５、上方側面に第２把持部１０６を備える。また、左側側面には、当該基台部１０２を木の幹に固定する為の固定ベルト２００を引っ掛けるための固定ベルト取付部１０３が備わっており、右側側面には固定ベルト２００を締め上げ固定するラチェット機構２０１を取り付ける為のラチェット取付部１０４が備わっている。
【００１７】
また、基台部１０２の上方に備わる４つの略Ｌ字形状の部材は、ロープを案内する機能を備えたロープガイドである。ロープウィンチ１１０の略真上位置に固定され、互いに異なる方向に向くように固定されている２つのロープガイドがロープウィンチ用ロープガイド１３２，１３４である。同様に、ロープ固定部１２０の略真上位置に固定され、互いに異なる方向に向くように固定されている２つのロープガイドがロープ固定部用ロープガイド１３６，１３８である。
【００１８】
ロープウィンチ１１０は、基台部１０２の下方中央位置に当該基台部１０２に対して着脱可能に取り付けられており、ハンドル部１１２を備える。このロープウィンチ１１０では、ハンドル部１１２をいずれの方向に回したとしても、当該ロープウィンチ１１０は一方向（この実施例においては右回転方向）に回転するよう構成されている。但し、ハンドル部１１２の回転方向によって減速比が異なるように内蔵されたギアが調整されている。
【００１９】
ロープ固定部１２０は、基台部１０２に上方左側の位置に備わっている。ロープ固定部１２０は、基台部１０２から立設された円柱形状（円柱体）の制動棒１２１と、更にこの制動棒１２１の先端近傍に当該制動棒１２１の半径方向に突出した２本の補助棒１２２、１２４を備える。
【００２０】
本実施形態においては、前述の通り、ロープウィンチ１１０の巻き上げ時の回転方向が右回りであるため、ロープウィンチ１１０の基台部１０２上の配置位置はロープ固定部１２０に対して右側にオフセットして配置されている。仮に、ロープウィンチの巻き上げ時の回転方向が左回りの場合は、ロープウィンチの基台部上の配置位置はロープ固定部に対して左側にオフセットして配置されることが望ましい。
【００２１】
〈特殊伐採用ロープワーク補助具の作用・機能〉
続いて、図３を参照しつつ、本発明に係る特殊伐採用ロープワーク補助具１００の第１使用例を説明する。
【００２２】
図３は、伐採対象である木１０の枝２０を切断してロープワークにより地面に下ろす場面を想定した状況を示している。
【００２３】
木１０の幹に固定ベルト２００によって発明に係る特殊伐採用ロープワーク補助具１００を取り付ける。なおこの時、必要に応じて第１把持部１０５及び／又は第２把持部１０６を利用し、他の取り付けベルトや紐等によって、重ねて幹に固定することも可能である。このようにすれば、より安定的に基台部１０２を木１０の幹に固定できるので、伐採対象物の重量が大きい場合にも余裕をもって対応することができる。
【００２４】
次に、第１ロープＲ１の一端を、他の木の根元等（図示していない）に固定しておき、木１０の中程に取り付けた滑車３００を介してロープウィンチ１１０に巻回する。その後、ロープウィンチ１１０を巻き上げることで第１ロープＲ１に十分なテンションをかけておく。テンションをかけ終わった状態であってもロープウィンチ１１０のみでその状態を保持することが可能であるが（ロープウィンチ１１０自体にもロープが解けないように固定しておく機能が備わっている。）、更なる安全策として、ロープウィンチ１１０で巻き取っている第１ロープＲ１を更にロープ固定部１２０の補助棒１２２、１２４に巻き付け、意図せずロープが解けてしまうのを防止する事もできる。
【００２５】
次に、第２ロープＲ２の一方を切り落としたい枝（伐採対象部）２０に取り付け、第２ロープＲ２の他方を別の滑車３００を介してロープ固定部１２０の制動棒１２１に数回巻回した上で、作業者Ｍに把持させる。
【００２６】
また、第３ロープＲ３によって、枝２０と第１ロープＲ１を繋いでおく。なお第１ロープＲＩとは当該第１ロープＲ１上を滑走できる滑車４００を介して連結しておく。このようにすることで、切り落とされた枝２０は、張られた第１ロープＲ１に沿ってスムーズに運ばれることとなる。
【００２７】
この状態で、別の作業者（図示していない）が木１０に登って切断部位Ｘをチェーンソー等で切断する。切断された場合でも、第２ロープＲ２及び第３ロープＲ３の存在によって枝２０は宙吊りとなり、地面に落下する事はない。
【００２８】
この宙吊りの状態で作業者Ｍが徐々に第２ロープＲ２を緩めれば、それに応じて枝２０が、張られた第１ロープＲ１のラインに沿って斜め下方に運ばれることとなる。この時、第２ロープＲ２は制動棒１２１に数回巻回された上で作業者Ｍが把持しているので、枝２０の落下時の衝撃が直接作業者Ｍに伝わることはなく安全である。また、枝２０の重量が重い場合であっても制動棒１２１による制動力を得ながらゆっくり確実に枝２０を運ぶ（下ろす）ことができる。
【００２９】
また、第１ロープＲ１の途中まで運んだ枝２０をその真下位置に下ろしたい場合は、第２ロープＲ２と併せて第１ロープＲ１を緩めることで実現できる。第１ロープＲ１はロープウィンチ１１０に数回巻回されているので、この巻回によって発生する制動力を得ながらゆっくり確実に枝２０を下方に下ろす事ができる。この時、ロープウィンチ１１０に巻回されている第１ロープＲ１の手前側を、更にロープ固定部１２０の補助棒１２２に引っ掛けることによって（例えば図２で示しているように引っ掛ける）、作業者Ｍが作業できる作業領域（エリア）の自由度が高くなる。ロープウィンチ１１０でロープが巻回される方向は構造的に決まっているので、補助棒１２２に引っ掛けない場合、作業者Ｍは特殊伐採用ロープワーク補助具１００の左方向（若しくは右方向）に位置してロープワークを行う必要がある。そうしないと、ロープがローウィンチ１１０から外れてしまったり、ロープ同士が重なってロープの滑りが悪くなり、微妙なロープワークが実現できないからである。それに比べてロープ固定部１２０の補助棒１２２に引っ掛けて作業を行えば、特殊伐採用ロープワーク補助具１００の手前方向に位置していても微妙なロープワークを実現しながら十分に作業を行うことができる。これはロープ固定部１２０の補助棒１２２の位置（基台部１０２の表面からの距離）が、ロープウィンチ１００ロープ巻取り部分の略真上位置に位置しているからこそ容易に実現できる機能である。
【００３０】
続いて、図４を参照しつつ、本発明に係る特殊伐採用ロープワーク補助具１００の第２使用例を説明する。
【００３１】
図４は、何らかの理由で枝２０を上方に持ち上げた状態で伐採したい場合に、枝２０を持ち上げる際に本発明に係る特殊伐採用ロープワーク補助具１００を利用する場面を想定した状況を示している。
【００３２】
最初に第１ロープを枝２０に固定して滑車３００を介してロープウィンチ１１０に繋ぎ、ロープウィンチ１００で巻き上げる。この作業のみで十分に枝２０を持ち上げる事ができればそれでよいが、常にそうなるとは限らず、一本のロープだけでは（例えば枝２０のバランスの問題などで）十分に持ち上げる事ができない場合もある。
【００３３】
そのような場合、本発明に係る特殊伐採用ロープワーク補助具１００を利用すれば、巻き上げた第１ロープＲ１をロープウィンチ１１０から外して一旦ロープ固定部１２０で固定した上で、更に第２ロープＲ２を使用して枝２０を持ち上げる事ができる。
【００３４】
第１ロープＲ１をいきなりロープウィンチ１１０から外すと危険であるため、ロープウィンチ１１０で第１ロープＲ１を巻き上げている状態で、第１ロープＲ１と第２把持部１０６とを十分な強度をもった紐や器具等によって固定する。その上で第１ロープＲ１をロープウィンチ１１０から外してロープ固定部１２０側に巻き直して固定する。巻き直しが官完了したら第１ロープＲ１と第２把持部１０６とを繋いでいる紐や器具等は取り外す。
【００３５】
その後、第２ロープＲ２を枝２０の適当な場所に連結して別の滑車３００を介してロープウィンチ１１０に繋ぎ、再度巻き上げて枝２０を持ち上げる。更に同様にして、第３、第４のロープを使って持ち上げる事も可能である。
【００３６】
このように、本発明に係る特殊伐採用ロープワーク補助具１００は、様々な作業をこの一台で行うことが可能となっている。なお、本発明に係る特殊伐採用ロープワーク補助具１００は上記使い方に限定されるものではなく、更に幅広い作業を行うことができる。
【００３７】
このように本願発明は、木１０の幹に取り付ける基台部１０２と、基台部１０２上に取り付けられロープを巻き上げ可能なロープウィンチ１１０と、基台部１０２上に取り付けられロープを巻回固定することができるロープ固定部１２０を備え、ロープウィンチ１１０の基台部１０２上の配置位置は、基台部１０２を木１０の幹に取り付けた状態で、ロープ固定部１２０に対して左右方向にオフセットして配置され、ロープ固定部１２０は、基台部１０２に立設された円柱形状の制動棒１２１として構成され、更にその先端近傍に制動棒１２１の半径方向に突出した複数の補助棒１２２、１２４を備えていることによって、単にロープに対して制動力を与えるだけでなく、補助棒１２２，１２４を利用してロープを固定したり、更にロープウィンチ１１０によってロープを巻き上げる事も可能となっている。更に補助棒１２２、１２４があることによって、制動力を与えながらのロープコントロールを行う際の作業者の作業可能範囲が広がるため（制動棒１２１のみであれば作業者は制動棒１２１の軸方向位置（要するに当該補助具の手前方向の位置）で作業することができないが、補助棒に１２２、１２４を利用することで可能となる。）、状況に応じて適切な場所でのロープコントロールが可能となる。また、ロープウィンチ１１０とロープ固定部１２０とは、左右方向にオフセットされて配置されているので、上方へと導かれる互いのロープの干渉がなく、同時に２本のロープをコントロールすることも行い易い。
【００３８】
また、ロープウィンチ１１０の巻き上げ時の回転方向が右回りの本実施形態においては、ロープウィンチ１１０の基台部１０２上の配置位置はロープ固定部１２０に対して右側にオフセットして配置されている（仮にロープウィンチ１１０の巻き上げ時の回転方向が左回りの場合は、ロープウィンチ１１０の基台部１０２上の配置位置はロープ固定部１２０に対して左側にオフセットして配置される。）。更に、ロープ固定部１２０はロープウィンチ１１０よりも上方に配置されている。
【００３９】
このような構成を採用したことによって、ロープウィンチ１１０とロープ固定部１２０との（左右方向の）オフセット量を小さくすることができるので、基台１０２の幅（取付時の左右方向の幅）をコンパクトに構成でき、取り付ける木１０の幹の径がそれ程太くない場合でも安定的に取り付ける事ができる。更に、負荷方向が一致するので、ロープウィンチ１１０とロープ固定部１２０の一方のみに負荷が掛かる状況が発生したとしても、基台部１０２の固定が不安定とならない。
【００４０】
〈その他の構成例〉
なお、上記では、ロープウィンチ１１０とロープ固定部１２０とを上下に配置しているが、左右方向に横並びに配置することも可能である。
【００４１】
また、上記ではロープ固定部１２０の補助棒１２２、１２４は２本で構成されているが、３本以上で構成することも可能である。
【００４２】
また、上記ではロープ固定部１２０の補助棒１２２、１２４は２本で構成され、いずれも制動棒１２１の先端近傍に備わっているが、より基台部１０２側の位置（制動棒１２１の途中の位置）に更に一本以上の補助棒を備えていてもよい。そのように構成すれば、制動棒１２１に複数本のロープを巻回して制動力を付与しながらロープコントロールを行う際に、その制動棒１２１の途中の位置に設けた補助棒でロープを区分けしておくことができる。その結果、ロープ干渉によるロープ自体の損傷を防止することもでき、また、微妙なロープワークがロープ干渉によって阻害されることを防止することもできる。
【符号の説明】
【００４３】
１０・・・木
２０・・・枝（伐採対象部）
１００・・・特殊伐採用ロープワーク補助具
１０２・・・基台部
１０３・・・固定ベルト取付部
１０４・・・ラチェット取付部
１０５・・・第１把持部
１０６・・・第２把持部
１１０・・・ロープウィンチ
１１２・・・ハンドル
１２０・・・ロープ固定部
１２１・・・制動棒
１２２、１２４・・・補助棒
１３２、１３４・・・ロープウィンチ用ロープガイド
１３６、１３８・・・ロープ固定部用ロープガイド
２００・・・固定ベルト
２０１・・・ラチェット機構
３００、４００・・・滑車
Ｒ・・・ロープ
【図１】
0005939547.tif 000002
【図２】
0005939547.tif 000003
【図３】
0005939547.tif 000004
【図４】
0005939547.tif 000005